(57)【要約】      （修正有）【課題】移動可能な居住空間を提供するため、牽引時の約２〜３倍の床面積に拡張することができるトレーラーハウスを提供する。【解決手段】普通乗用車約３台分のスペースの場所に駐車し、側壁を解放すると、一方が側壁に、もう一方が車両本体に固定された蛇腹状の膜材７が展開され、解放された側壁２−ａが水平になることにより車両本体の床面と同一面を構成し、牽引時の約３倍程度の床面積にまで拡張することが可能となる。膜材の折り畳み方は、気密性と水密性を保持するために、一枚の膜材を山折、谷折の組み合わせにより、蛇腹状に折り畳む折り畳み方を採用する。【選択図】図−１
0003193633.tif 000002
【実用新案登録請求の範囲】
【請求項１】
所定の位置に駐車し、側壁を解放すると、一方が側壁に、もう一方が車両本体に固定された蛇腹状の膜材が展開され、解放された側壁が水平になることにより車両本体の床面と同一面を構成し、牽引時の約３倍程度の床面積にまで拡張することが可能なトレーラーハウス。
【請求項２】
前記の蛇腹状の膜材を支える架構材は、トレーラーハウスを折り畳んでいる状態では垂直となり、横架材と膜材を無理なく収納できる。架構材は、展開時に床面より約４５度の傾きを持つ要部分から等角度で拡がり、外壁膜材を保持する横架材を安定させる機構とする。この架構材が等角度となるよう架構材間にステーを設ける。
【請求項３】
横架材と膜材を無理なく折り畳むために、横架材と横架材はふたつのピン接合により接合し、このふたつのピン接合を各々ギアにより噛み合わせ、ピン接合材とピン接合材を結ぶ軸線に対して、各々の横架材が同じ角度を保つ機構とする。
【請求項４】
膜材の展開時に、その架構材と横架材を安定させるため、横架材に対して垂直に設けられた可動部材と、これをキャッチ  アンド  リリースできる部材を下端部に持つステーを設けることにより、連続したトラス構造をなす。
【請求項５】
膜材の折り畳み方は、気密性と水密性を保持するために、一枚の膜材を山折、谷折の組み合わせにより、蛇腹状に折り畳む折り畳み方を採用する。
【請求項６】
解放した側壁が床として機能するために、側壁外部に荷重受けのスプリング内蔵の束立てを設ける。この側壁を解放する際、荷重受け部分が重力式により地盤面と平行になり床部分を支える機構である。
【請求項７】
解放された側壁が床面として機能する際、車両本体の床面と水平を保てるよう、キャッチ  アンド  リリースできるスライド式等の機構を持つ。
【考案の詳細な説明】
【考案の詳細な説明】
【技術分野】
【０００１】本考案は、移動可能な居住空間を提供するため、牽引時の約２〜３倍の床面積に拡張することができるトレーラーハウスに関する。
【背景技術】
【０００２】従来のトレーラーハウスは、目的地に牽引し、到着した後に牽引時と同様の形態で居住空間を提供するものと、函体を引き出し拡張するか、あるいは屋根、壁などを展開するもの、仮設テントを設置するものであった。
【先行技術文献】
【０００３】１９９９年４月２０日公開  特許公開平１１−１０７５５３
【０００４】２００４年１２月２２日  登録実用新案第３１０７６４８号
【考案の概要】
【考案が解決しようとする課題】
【０００５】牽引時と同様の形態で居住空間を提供するタイプのトレーラーハウスは、温度・湿度コントロールや風雨に対する防備に対しては允分であったが、道路運送車両法等の規制により居住空間の幅員に限界があった。【０００６】車体の一部分を開放してテントなどと連続して居住空間を拡張することが可能なトレーラーハウスは、居住空間の気密性、水密性に限界があり、害虫や野犬、狼などの野生動物に対する防備も不完全であった。【０００７】気密性、水密性を高め、快適性を追求すると、構造や機構が複雑になり、その結果、重量が大きくなり、また、取り汲いが容易ではなくなり、設置と撤去が容易ではなかった。
【問題を解決するための手段】
【０００８】所定の位置に駐車し、側壁を解放すると、一方が側壁に、もう一方が車両本体に固定された蛇腹状の膜材が展開され、解放された側壁が水平になることにより車両本体の床面と同一面を構成し、牽引時の約３倍程度の床面積にまで拡張することが可能なトレーラーハウス。
【０００９】前記の蛇腹状の膜材を支える架構材は、トレーラーハウスを折り畳んでいる状態では垂直となり、横架材と膜材を無理なく収納できる。架構材は、展開時に床面より約４５度の傾きを持つ要部分から等角度で拡がり、外壁膜材を保持する横架材を安定させる機構とする。この架構材が等角度となるよう架構材間にステーを設ける。
【００１０】横架材と膜材を無理なく折り畳むために、横架材と横架材はふたつのピン接合により接合し、このふたつのピン接合を各々ギアにより噛み合わせ、ピン接合材とピン接合材を結ぶ軸線に対して、各々の横架材が同じ角度を保つ機構とする。
【００１１】膜材の展開時に、その架構材と横架材を安定させるため、横架材に対して垂直に設けられた可動部材と、これをキャッチ  アンド  リリースできる部材を下端部に持つステーを設けることにより、連続したトラス構造をなす。
【００１２】膜材の折り畳み方は、気密性と水密性を保持するために、一枚の膜材を山折、谷折の組み合わせにより、蛇腹状に折り畳む折り畳み方を採用する。
【００１３】解放した側壁が床として機能するために、側壁外部に荷重受けのスプリング内蔵の束立てを設ける。この側壁を解放する際、荷重受け部分が重力式により地盤面と平行になり床部分を支える機構である。
【００１４】解放された側壁が床面として機能する際、車両本体の床面と水平を保てるよう、キャッチ  アンド  リリースできるスライド式等の機構を持つ。
【考案の効果】
【００１５】牽引、移動は普通乗用車にて行うことが可能で、普通乗用車約３台分のスペースがあれば設置でき、牽引、移動時の２〜３倍の床面積をもつ、気密性、水密性に優れた居住空間を提供できる。
【００１６】駐車した場所で側壁を展開すれば、短時間で設置並びに撤去が可能であり、設置する際にも撤去時にも仮設物等を必要としない。
【００１７】展開される膜材は透光性があり、特に窓などは設けなくとも、トレーラーハウス内部の昼間は明るい居住性能を有する。
【００１８】側壁の内側にベッド等の家具を固定しておくと、移動時には壁状をなしているが、側壁の展開後にはベッド等の機能とすることが可能である。
【００１９】車両本体に簡易トイレやシャワー設備、ミニキッチンなどを設ければさらに居住性能が向上する。
【００２０】キャンピングカーパークなどで外部電力の受電ができるよう外部に受電ソケットを設けることが可能で、車両本体屋根部分にソーラーパネル等を取り付け、パワーコンディショナーと併用すれば、さらに充実した機能が得られる。
【図面の簡単な説明】
【図−１】本考案の展開時の車両中央付近の断面図である。
【図−２】本考案の展開時の平面図である。
【図−３】本考案の牽引時の側面図である。
【図−４】本考案の牽引時の妻側の側面図である。
【図−５】本考案の展開時の側面図である。
【図−６】本考案の展開時の妻側側面図である。
【図−７】本考案の牽引時の断面図である。
【図−８】本考案の牽引時の平面図である。
【図−９】本考案の展開時の妻側断面図である。
【図−１０】本考案の横架材の断面図と矢視図である。
【図−１１】図−７のＡ−１部の詳細図である。
【図−１２】図−９のＡ−２部の詳細図である。
【図−１３】図−７のＡ−４部詳細図である。
【図−１４】図−９のＡ−３部の詳細図である。
【図−１５】架構材の要部分５を側面より矢視した詳細図である。
【図−１６】外壁膜材を支持する横架材を安定させるための機構の詳細図である。
【図−１７】外壁膜材を支持する横架材を安定させるための機構の詳細図である。
【図−１８】膜材の折り畳み方の平面図である。
【図−１９】模型写真１
【図−２０】模型写真２
【図−２１】模型写真３
【考案を実施するための形態】
【００２１】本考案を実施するための最良の形態を、図面を用いて説明する。図−１は展開時の車両中央付近の断面図である。図−２は展開時の平面図である。２−ａは図−８の側壁２が展開後、床となっているところ、５−ａは膜材をルーズに固定する部分、７は蛇腹状の外壁膜材、８は妻側の蛇腹状の外壁膜材である。図−１、図−２と図−７、図−８を比較して見れば理解できるように、展開時の床面積は牽引時の床面積の約３倍となっている。
【００２２】図−３は展牽引時の側面図である。１０は荷重受けのスプリング内蔵の束立てである。側壁を解放した後は、荷重受け部分が重力式により地盤面と平行になり床部分を支える。
【００２３】図−４は牽引時の妻側の側面図である。９は車両本体床部分と展開した側壁が水平となるよう固定するスライド式で、かつ、キャッチ・リリースが可能なステーが折り畳まれた状態を示す。
【００２４】図−５は展開時の側面図である。７は蛇腹状の外壁膜材である。
【００２５】図−６は展開時の妻側の側面図である。７は蛇腹状の外壁膜材、８は妻側の蛇腹状の外壁膜材である。１０は荷重受けのスプリング内蔵の束立てで、重力式により地盤面と平行になり床部分を支える。９は車両本体床部分と展開した側壁が水平となるよう固定するスライド式で、かつ、キャッチ・リリースが可能なステーが、展開された側壁２−ａを固定しているところである。
【００２６】図−７は牽引時の断面図である。７−ａは折り畳まれた外壁膜材である。架構材の要５により、折り畳められた状態の外壁膜材と架構材は垂直に収納される。１１により膜材を保持する架構材と車両本体をピン構造により接続する。架構材を支持する１１と側壁に支持される架構材の支点１２−ａは床面１からの高さを同一とすることにより、横架材が無理なく収納できる構造となる。
【００２７】図−８は牽引時の平面図である。１は車両本体の床、２は側壁、３は妻側の壁、４は出入り口扉、５は架構材の要部分、６は折り畳まれた妻側の膜材を示す。
【００２８】図−９は展開時の妻側の断面図である。側壁２を解放すると２−ｂを回転軸として２−ａの位置に側壁２が床となり、車両本体の床１と水平をなす。架構材の要部分は床面１から４５度の角度を成しており、これにより、架構材１３並びに横架材１２、外壁膜材７、８を無理なく蛇腹状に拡げることが可能となる。側壁に支持される架構材の支点１２−ａは側壁の回転軸２−ｂと展開時に同一水平面上になるよう設置し、架構材が収納される窪みを設けることにより、側壁と架構材が干渉することなく折り畳むことが可能となる。
【００２９】図−１０は横架材１２を側面より矢視した図である。横架材１２は架構材１３を軸に折り畳み、また、展開され、車両進行方向にトラス状とすることにより、外壁膜材の強度を確保しており、Ｂ部により縦方向にトラスを構成、縦方向の強度を確保している。
【００３０】図−１１は図−７のＡ−１部の詳細図である。側壁２を折り畳んだ状態では、架構材１３と妻側膜材６は車両本体床１に対して垂直に格納される。５は架構材１３の要部分であり、車両本体床１と４５度の角度をなす。要部分５と架構材１３は回転軸５−ｂによりピン接合される。妻側膜材が解放、折りたたみされる際、膜材に若干のゆとりが必要となるため、５−ａによりルーズに固定される。
【００３１】図−１２は図−９のＡ−２部の詳細図である。側壁２を回転軸２−ｂを軸として開放すると、側壁２−ａは床面を形成し、車両本体床１と水平となる。架構材の要５は車両本体床１に対して４５度の角度を成しているために、架構材１３はピン接合された５−ｂにより、無理なく扇状に広がる。
【００３２】図−１３は図−７のＡ−４部の詳細図である。１４は車両本体の屋根、２は牽引時の側壁を表し、横架材１２は屋根１４と側壁２と各々１１と１２−ａによりピン接合されている。横架材１２は一方を架構材１３、他方を隣り合う横架材１２にピン接合されており、隣り合う横架材どうしは横架材と膜材７を無理なく折り畳むために、ふたつのピン接合１２−ｃにより接合し、このふたつのピン接合を各々ギアにより噛み合わせ、ピン接合材とピン接合材を結ぶ軸線１２−ｂに対して、各々の横架材が同じ角度を保つ機構とする。
【００３３】図−１４は図−９のＡ−３部詳細図である。横架材１２は１２−ａにより床を成す側壁２−ａとピン接合される。この時、回転軸１２−ａの軸中心線は車両本体床１と側壁２−ａの回転軸である２−ｂと水平面を成す位置に設けることにより、折り畳んだ際に架構材１３、横架材１２、外壁膜材７が車両本体に無理なく格納できる。
【００３４】図−１５は架構材の要部分５を側面より矢視した詳細図である。要部分５は妻側の膜材８の蛇腹より若干車両本体内側に設置し、５−ｂにより要部分５にピン接合された架構材１３はＬ字型をなして膜材８を支持する。
【００３５】図−１６、１７は図−１のＢ部の詳細図である。これは側壁２を解放し、外壁膜材を蛇腹状に拡げた際、外壁膜材を支持する横架材を安定させるための機構である。側壁が解放されると、架構材１３の頂部にピン接合されたステー１５に沿って、一方が横架材１２の谷部にピン接合されたステー１６が、もう一方を２２によりピン接合されたスライド材１７をステー１５底部１８に移動させる。ステー底部には、２０のスプリングにより各々反対方向にモーメントを持つキャッチ材１９が２１によりピン接合されており、スライド材１７をステー底部に固定する。折り畳む際には図−１６のキャッチ材１９を矢印の方向へ回転すれば、スライド材１７がリリースされる。
【００３６】Ｂ−１、Ｂ−２部は上記のＢ部の機構を応用し、スライドステーが一方向のみとなっている、架構材、横架材を安定させる機構である。
【００３７】図−１８膜材の折り畳み方である。気密性と水密性を保持するために、一枚の膜材を山折、谷折の組み合わせにより、蛇腹状に折り畳む折り畳み方を採用する。２３は谷折、２４は山折を示す。折り畳み方は文章と図面では説明が難しいので、模型で示す。なお、折り畳む回数は車両本体の大きさにより異なってくる。
【００３８】図−１９は牽引時の模型写真１である。
【００３９】図−２０は蛇腹状の膜材を解放している途中の模型写真２である。
【００４０】図−２１は展開が完了したところの模型写真３である。
【実施例】
【００４１】大規模な土木工事現場や建築工事現場では工事期間中、仮設のプレハブハウスを設け、打合せ場所、休憩場所などのスペースとして使用しているが、小規模〜中規模の現場では仮設のプレハブハウスを設ける余地がない場合も多く見られる。本考案は従来の仮設のプレハブハウスに比べ容易に移動、展開、撤去が出来るため、このような小規模〜中規模の現場内に駐車、展開し、打合せ、休憩スペースとして使用する。これにより現場作業員の労働環境が整い、また風紀の向上にも資することが可能となる。さらに狭小な敷地条件の現場では、片側のみを展開して牽引時の約２倍の床面積として使用することも可能である。【００４２】震災や洪水などの発災時に、被災地の住民は、指定された避難場所である小中学校の体育館などに避難するが、このような避難場所ではプライバシーの確保は難しく、中期〜長期の避難生活は困難を極めている。本考案はこのような状況下で、道路さえ通行可能であれば、容易に牽引、移動してくることが可能で、避難場所の校庭や空き地に駐車し、展開することにより、被災住民に、より快適でプライバシーを確保できる居住空間を提供することが可能となる。中期〜長期間に渡る避難生活の場合は、インフラ供給口よりライフラインを確保することが可能である。さらに、ソーラーシステムなどの採用により生活用の電力を確保することができる。【００４３】大規模な震災等の発災時の地域救助本部機能や医療の救助拠点として機能することや、救助活動に当たる自治体、自衛隊、ボランティアの宿舎や事務所として機能することが考えられる。【００４４】ＰＫＯ活動など、海外における活動拠点としてはテント生活を余儀なくされているが、このトレーラーハウスを船舶、航空機などにより輸送し、活動場所まで牽引して行き、展開すれば、より快適な居住空間を簡単に、手早く確保、また、撤去することが可能となる。【００４５】このトレーラーハウスは居住スペースの提供が基本形であるが、内部を改造することにより、厨房車両、浴室車両、便所車両、備蓄車両などに機能展開することが可能である。
【符号の説明】１    車両本体の床
２    車両の側壁
２−ａ水平となった側壁
２−ｂ回転軸
３    車両の妻側の壁
４    出入り口
５    架構材の要部分
５−ａ妻側膜材をルーズに固定する留め金
５−ｂ架構材を要に接続するピン接合軸
６    折り畳まれた妻側の膜材
７    展開した蛇腹状の外壁膜材
８    展開した妻側の蛇腹状の膜材
９    開放された側壁が車両本体床と水平を保つためのステー
１０  荷重受けの束立て
１１  横架材の受け材
１２  横架材
１２−ａ横架材を側壁２−ａにピン接合する部材
１２−ｂ、ｃ横架材と横架材をピン接合する機構
１３  架構材
１４  車両本体の屋根
１５  ステー
１６  ステー
１７  スライド
１８  ステー底部
１９  キャッチ材
２０  スプリング
２１  回転軸
２２  回転軸
２３  谷折部分
２４  山折部分
【図−１】
0003193633.tif 000003
【図−２】
0003193633.tif 000004
【図−３】
0003193633.tif 000005
【図−４】
0003193633.tif 000006
【図−５】
0003193633.tif 000007
【図−６】
0003193633.tif 000008
【図−７】
0003193633.tif 000009
【図−８】
0003193633.tif 000010
【図−９】
0003193633.tif 000011
【図−１０】
0003193633.tif 000012
【図−１１】
0003193633.tif 000013
【図−１２】
0003193633.tif 000014
【図−１３】
0003193633.tif 000015
【図−１４】
0003193633.tif 000016
【図−９】
0003193633.tif 000017
【図−１６】
0003193633.tif 000018
【図−１７】
0003193633.tif 000019
【図−１８】
0003193633.tif 000020
【図−１９】
0003193633.tif 000021
【図−２０】
0003193633.tif 000022
【図−２１】
0003193633.tif 000023
【手続補正書】
【提出日】平成26年7月22日(2014.7.22)
【手続補正１】
【補正対象書類名】実用新案登録請求の範囲
【補正対象項目名】全文
【補正方法】変更
【補正の内容】
【実用新案登録請求の範囲】
【請求項１】
所定の位置に駐車し、側壁を解放すると、一方が側壁に、もう一方が車両本体に固定された蛇腹状の膜材が展開され、解放された側壁が水平になることにより車両本体の床面と同一面を構成し、牽引時の約３倍程度の床面積にまで拡張することが可能なトレーラーハウス。
【請求項２】
蛇腹状の膜材を支える架構材は、トレーラーハウスを折り畳んでいる状態では垂直となり、横架材と膜材を無理なく収納でき、架構材は、展開時に床面より約４５度の傾きを持つ要部分から等角度で拡がり、外壁膜材を保持する横架材を安定させることを特徴とする請求項１に記載のトレーラーハウス。
【請求項３】
横架材と膜材を無理なく折り畳むために、横架材と横架材はふたつのピン接合により接合し、このふたつのピン接合を各々ギアにより噛み合わせ、ピン接合材とピン接合材を結ぶ軸線に対して、各々の横架材が同じ角度を保つことを特徴とする請求項２に記載のトレーラーハウス。
【請求項４】
膜材の展開時に、その架構材と横架材を安定させるため、横架材に対して垂直に設けられた可動部材と、これをキャッチ  アンド  リリースできる部材を下端部に持つステーを設けることにより、連続したトラス構造としていることを特徴とする請求項２に記載のトレーラーハウス。
【請求項５】
気密性と水密性を保持するために、一枚の膜材を山折、谷折の組み合わせにより、蛇腹状に折り畳む屋根構造を持つことを特徴とする請求項１に記載のトレーラーハウス。
【請求項６】
解放した側壁が床として機能するために、側壁外部に荷重受けのスプリング内蔵の束立てを設け、この側壁を解放する際、荷重受け部分が重力式により地盤面と平行になり床部分を支える機構を特徴とする請求項１に記載のトレーラーハウス。
【請求項７】
解放された側壁が床面として機能する際、車両本体の床面と水平を保てるよう、キャッチ  アンド  リリースできるスライド式の機構を特徴とする請求項１に記載のトレーラーハウス。
【手続補正２】
【補正対象書類名】図面
【補正対象項目名】全図
【補正方法】変更
【補正の内容】
【図−１】
0003193633.tif 000024
【図−２】
0003193633.tif 000025
【図−３】
0003193633.tif 000026
【図−４】
0003193633.tif 000027
【図−５】
0003193633.tif 000028
【図−６】
0003193633.tif 000029
【図−７】
0003193633.tif 000030
【図−８】
0003193633.tif 000031
【図−９】
0003193633.tif 000032
【図−１０】
0003193633.tif 000033
【図−１１】
0003193633.tif 000034
【図−１２】
0003193633.tif 000035
【図−１３】
0003193633.tif 000036
【図−１４】
0003193633.tif 000037
【図−１５】
0003193633.tif 000038
【図−１６】
0003193633.tif 000039
【図−１７】
0003193633.tif 000040
【図−１８】
0003193633.tif 000041
【図−１９】
0003193633.tif 000042
【図−２０】
0003193633.tif 000043
【図−２１】
0003193633.tif 000044